(57)【要約】      （修正有）【課題】結婚や一緒に生活する際に自分が相手に守ってもらいたい条件等を持っていたとしても、実際に相手やその家族等の周囲に向けて発表するシステムが現在までなかった。ユーザーが手軽に作成できる契約サポートシステムを提供する。【解決手段】結婚・同居など生活する上ではずせない条件などをデータ化された条文から選んでもらって、アンケートに答えながら契約書を作成し、さらにセンターの行政書士により作成および事実証明してもらう。  これをその後、センターで履行確認を結婚記念日等お互いに対して通知し、履行に関するアンケートの回収によりさらに相手にその結果を通知して点数を付することを行うことで履行の確保もなされる。【選択図】図１
2006113626.tif 000002
【特許請求の範囲】
【請求項１】
インターネットを利用して、同居・結婚などに際してお互いの共同生活等をするにあたっての条件を出し合って契約書を作成するシステム
【請求項２】
従来我が国においては結婚などには仲人が間に入って一緒に生活していく上での有用なるノウハウや工夫や約束事については、重要な役割を演じてきた。
ところが家族の核家族化や社会のOA化に伴って、結婚をはじめ人間のコミュニケーションの方法が大きく変容している。
またかつて日本では美徳とされていた自分の主義主張や権利・条件などの主張をしない沈黙の文化も様変わりして、個人主義の台頭により個々人が自由に権利を主張することが普通の社会となってきた。
欧米など諸外国では結婚は契約ととらえ、お互いに契約をすることが当たり前になりつつある。
我が国の民法においても夫婦別産制を原則としてとりつつも、現実的には個人よりも家を中心としたスタイルが日本の文化には根強いものがあって、契約は家族に馴染まないという意識が強く、夫婦別産制は形骸化してしまっている。
本件システムはインターネットやその他の手段によって会員登録した所定の契約詳細を愛情編や家庭生活編等数種類のカテゴリに分類して、これをデータベース化したものの内容中、自分にマッチする内容にあたる条文を数点選択してこれを契約書面として各自署名押印したものをセンターの行政書士が書面の存在を確認し、内容を事実証明して記名押印しその謄本をセンターが１通保管し、関係者がその正本を保管する契約締結サービス。この契約締結に至るために誰でもわかりやすくアンケートを答えるだけで最終的に契約書のアウトラインがほぼ仕上がるようにする。
【請求項３】
上記、契約締結を行うにあたり、そのサービス提供を行うためにホームページを配信するWEBサーバーおよび契約を検索するデータベースサーバーを有機的に結びつけたシステムを設計し本件情報サービスを受けるユーザーが自由にストレス無くパソコン又は携帯電話など端末機にダウンロード出来る環境を構築する。
【請求項４】
一方で、結婚などの契約書を締結した関係者は締結後２年間会員として各種サービスを受けることが出来る。このサービスは会員が入会時ポイントを拾得し、一定ポイントを費消することで生活に関する相談をメールですることが出来る。
また婚約証書やその他の書面の作成もポイントを使用することで利用できる。
さらに今後増え続けていく会員サービスを利用するために必要となる。
このポイントは追加で購入できる。
【請求項５】
通常契約書の作成には独特の法律用語や体裁等ある程度専門知識が要求されるところであるが本件契約書を作成するにあたり、会員は所定のアンケートに答えて聞けば大まかな契約書のアウトラインを作成することが出来て、特記事項等オリジナルの条文を作成する場合でも行政書士にメール等の方法によりアドバイス
を受けながら作成することが出来る。
【請求項６】
結婚記念日や同棲の記念日などに契約内容が約束・誓約通り履行されているか
本件約束生活すすめ隊センター（以下「センター」とする）から契約当事者に確認の通知・メールが行き、その履行状況に基づいて、センターから本人に結果（履行状況の成績表）が送られるので、当事者は心理的に第三者から意見されることの認識から間接的に契約の履行が強制される。
これにより、法的効力は必ずしも発生しないものの間接的にではあるが利用者対してセンターはある種の後見的効果も生ずる可能性がある。
【請求項７】
結婚等を取り扱う企業に対しては広告出稿を募り当該企業のサービスや自社サイトへの提携リンクをすることによって当該企業から広告料を徴収し、収益を計上するので当該サービスを受けるユーザーは無償にて情報提供サービスを受けることが出来るという従来の民放コマーシャルと同様のシステムの広告メディアが構築できるのでひいてはインターネット上にて新しい広告メディアのシステムが発掘出来る可能性が広がる。
【請求項８】
契約書は一般のイメージとして家庭生活と馴染まない性質のものとの認識が日本では根強かったが、昨今の離婚や家庭内のトラブルを鑑みると、ある程度家庭生活・夫婦生活においてもお互いの役割を目に見える形で残したり、真剣に考えたりする場面は円滑なる夫婦家庭生活には有用であると思われる。
契約書という形にして、その作成に第三者たる専門家の行政書士等が関与することでより客観的に当事者相互が結婚や家庭というものを考えるきっかけを与えるものである。  
結婚・家庭制度に契約書を簡易な形で取り込み、またその構成要件たる条文の内容の遵守までフォローする新しい結婚・家庭生活を創造する画期的なシステムである。
【発明の詳細な説明】
【技術分野】
【０００１】
本発明は、インターネットのブロードバンド環境を利用した結婚や家族生活等の契約書作成およびそのフォローするコンテンツシステムに関する。
【背景技術】
【０００２】
従来、結婚したりする際に、契約書を交わす慣習が無く、家対家の関係が重視されたため通常、当事者が結婚やそれ以降の家庭生活に対する条件を考えていてもせいぜい仲人を経由して、遠慮しがちに少し出して相手やその両親等に婉曲して伝えるしか術が無かった。また仲人としてもその立場では、当事者以外の人的関係等もあって、いわゆる仲人口といわれるように知っていたとしてもあまり悪いことも言えず、当事者の本当の意思疎通が図れるシステムとして予定されている者ではない。つまり個人の主義主張や各種条件をお互いに確認する場が今までは無かったと言える。
また、これまでもインターネット上で結婚仲介などを行うものは数多くあったが、ほとんどが結婚相手をさがすか、結婚式のプロデュースをするものがほとんどであった。
本件システムは結婚して生活していく上で双方が作成した結婚等に関しての契約書をアンケートに答えるスタイルにより契約書作成に不慣れな人でも作成することが出来るし、また行政書士等によるサポートもある。
作成して、その後結婚記念日に契約履行を確認する通知が当事者にあり、これを回収することでお互いの状況を採点して、その結果を相手に通知して点数を付する。
また、本来当人同士の関係である結婚等はパーソナルな関係でなければならないところ前述のように家を重んじる場面もまだまだ多いため親族など周囲から当事者は影響を受けやすい。
今回のシステムのように明らかな条件を記載し、当人だけでなく第三者たる専門家に書面の作成を委ね、その履行意見を仰ぐシステムは、当事者２人の良い関係をはっきりさせ、他人に操られないきわめてパーソナルな関係を構築出来ることが期待される。
また、今回のシステムはアフターフォローとして、両者の関係を円滑に推進させるための相談・苦情等について、ウェブ上で関係者が陥りやすいQ&Aなど生活の知恵も提供する。
【発明の開示】
【発明が解決しようとする課題】
【０００３】
このように、従来にはこのようなシステムが皆無あり、せいぜい仲人がその一部を受け持つにすぎなかった。また仲人としても実際に条件などすり寄せすることはとうてい出来ないものであった。
また、結婚したりする当事者が自分たちの判断において、契約締結しようとしても、当事者であるが故に難しく、本件システムのように第三者の介入によってアドバイスをもらったり的確な条件を考えることが出来ると思われる。
ユーザーとしても、これが既存の結婚システムとして無かったのであまり深く結婚後の生活も考える機会がなかった。しかも本件のようなことは既存の制度としてあればこれを遠慮無く相手に確認し希望を言うことが出来るので自己実現に資するものと言える。
また、将来の顧客としてのユーザーも当該センターのホームページから現実に問題となっている情報などを検索出来て、気軽に一番問題となっている諸条件などを見る、あるいはメールの方法などによって質問して情報を知ることが出来、自分たちの結婚などの参考となる。
【課題を解決するための手段】
【０００４】
本発明では、結婚・同居など一緒に生活を行おうとする関係者からその条件などの情報を書面化して行政書士書面作成・事実証明の証明を行い、センターが本件契約書の謄本を保管し、契約にまつわる諸情報をコンピューターにて管理して、インターネット上で個人情報等に十分配慮して問題点等を公開する。また結婚記念日など重要なる節目となる日にお互いのアンケートの形式で契約が履行されているか確認してセンターより履行成績評価を送付することという一連のシステムによって、従来なかった「結婚はお互いの生活における契約を締結するものである。」という意識を高めるものである。
【０００５】
よって、今まで当事者として相手に言いにくかった結婚後の仕事の問題、親との同居の問題、嫁姑問題などを契約にすることになるためお互い大事な問題としてとらえ、同時に深く考えるきっかけとなり、より結婚に踏みきりやすくなる。
入会（契約書作成等）を希望インターネット上あるいはその他の手段で、ユーザーはセンター宛に申し込む。
センターではこれを受けて、アンケートに答える方法などの手法でユーザーの希望する諸条件を各章ごとに選択してもらい、契約締結までフォローする。
会員は、センターを通して、自分の取得しているポイントを費消することによって結婚生活等契約に関しての質問やその他生活に関連する相談・助言サービスを受けることが出来る。
【発明の効果】
【０００６】
本発明により、これまでうまく表現することがなかなか言い出せなかった共同生活にまつわる多種の条件などが結婚・家庭生活を行うための契約締結をするということからお互いに言いにくいことでも言いやすい場面が創造出来る。
また契約条項等を手軽にメニューから選択することやアンケートに答えることにより身近なブロードバンド環境を利用して専門的知識も無く、契約書作成が可能になる。
同時に、ユーザーはセンターにある謄本の写しを請求することも出来るし、会員としてのサービスとして生活にまつわる諸問題の相談アドバイスをポイント使用によってセンターの提携している行政書士やその他の専門家に対して行うことが出来る。
【発明を実施するための最良の形態】
【０００７】
以下、本発明の実施の形態につき説明する。
結婚など生活に関する諸条件はデータ化されて図１のセンターwebsite内に蓄積され、各章等の種類により管理、分類される。
そのデータは、図１の画像公開ホームページ上で公開される。
一方、ユーザーは１会員登録ホームページにアクセスし会員登録の申し込みをすることで、会員管理データベースに登録される。
ユーザーは、公開ホームページへのアクセス、２のように公開された結婚に関する諸条件による検索が出来る。会員管理データベースに登録された会員は、以上に加え、各種専門家に対しての依頼またはパートナーに対しての紹介が可能となる。さらに、定期的に結婚などに対する情報をメールマガジン等により適宜受けることが出来る。
登録された会員は、３のようにホームページにアクセスしデータ等を閲覧し、自分たちに合致した契約条件等に対してサイトを通じて契約書作成を依頼する。この時、アンケートに答える形式により作成することも出来る。
【実施例１】
【０００８】
ユーザーが選択した条件・条項をその頻度に応じてこれがデータベースにて、集計される。
ユーザーから契約内容が了承され、関係者による署名押印により契約が成立し、これを書面にて作成したものに行政書士が記名捺印してその正本が契約当事者、その写しを謄本としてセンターが保管する。
【産業上の利用可能性】
【０００９】
本発明により、これまでうまく表現することがなかなか言い出せなかった共同生活にまつわる多種の条件などが結婚・家庭生活を行うための契約締結をするということからお互いに言いにくいことでも言いやすい場面が創造出来る。
よって、双方向の意見交換が進み、より良い結婚・同居生活が促進される。
最近特に多くなった離婚に対して本件システムは防波堤の役目を少しだけ担う可能性もあり、同時に本音で当事者も語ることも出来、結婚にある種条件を付けることが出来るからから結婚に踏みきれなかったカップルも結婚に対して考え方も変わり結婚促進する効果も期待されるのではなかろうか。
さらには、インターネットを利用することによって、インターネット接続環境があれば場所に依存しないため、これまで行政書士等専門家不在あるいは不足で不便であった地域の潜在的な需要を掘り起こすことができる。
【図面の簡単な説明】
【００１０】
【図１】本発明の、システムの概要を示す。
【図１】
2006113626.tif 000003